(57)【要約】【課題】贈答品などに利用される所定の形態に折り畳まれた折り畳みタオルにおいて、使用の前後を通じて楽しみを与えることができる折り畳みタオルを提供すること。【解決手段】本発明に係る折り畳みタオルＸ１は、タオル本体１が所定の形態に折り畳まれるとともに透明なフィルム２で包まれてなる。タオル本体１は、片面に模様１１が付されているとともに、模様１１と関連する香料を封入したマイクロカプセルが分散固着されており、かつ、タオル本体１は、外面に模様１１が表れるようにして柱状の形態に折り畳まれているとともに、このように折り畳まれた状態において、その外面が透明なフィルム２で筒状に包まれている。【選択図】図１
2008093109.tif 000002
【特許請求の範囲】
【請求項１】
タオル本体が所定の形態に折り畳まれ、透明なフィルムで包まれてなる折り畳みタオルであって、
上記タオル本体は、片面に模様が付されているとともに、当該模様と関連する香料を封入したマイクロカプセルが分散固着されており、かつ、
上記タオル本体は、外面に上記模様が表れるようにして柱状の形態に折り畳まれているとともに、このように折り畳まれた状態において、その外面が透明なフィルムで筒状に包まれていることを特徴とする、折り畳みタオル。
【請求項２】
上記模様は、所定色を背景として、果物を表す絵柄を配置したものであり、上記マイクロカプセルには、上記果物と関連する香料が封入されている、請求項１に記載の折り畳みタオル。
【請求項３】
それぞれが異なる果物を表す絵柄をもつ模様を付した複数の請求項２に記載の折り畳みタオルを包装箱に収容したことを特徴とする、折り畳みタオルセット。
【請求項４】
上記包装箱には、透明窓が設けられており、複数の上記折り畳みタオルの模様が視認できるように構成されている、請求項３に記載の折り畳みタオルセット。
【請求項５】
タオル本体が所定の形態に折り畳まれ、透明なフィルムで包まれてなる折り畳みタオルであって、
上記タオル本体は、片面に模様が付されているとともに、当該模様、もしくは上記形態と関連する香料を封入したマイクロカプセルが分散固着されており、かつ、
上記タオル本体は、外面に上記模様が表われるようにして環状の形態に折り畳まれているとともに、このように折り畳まれた状態において、透明なフィルムで形成した包装袋に収容されていることを特徴とする、折り畳みタオル。
【請求項６】
上記タオル本体は、正方形をしており、２つの対角頂点をそれぞれ中心付近に合わせるように折り畳み、次に、こうして二重となった２つの部分の外縁を中心付近に合わせるようにしてそれぞれ折り畳み、次に、こうして四重となった部分を互いに重ねるようにして折り畳んで棒状の形態とし、次に棒状の形態となったものの端部どうしを連結することにより、環状の形態に折り畳まれている、請求項５に記載の折り畳みタオル。
【請求項７】
上記タオル本体は、正方形をしており、２つの対角頂点がそれぞれ対角線上において両対角頂点間の距離に比して相対する対角頂点から１／３の距離付近に位置するように折り畳み、次に、こうして二重または三重となった部分の２つの外縁がそれぞれ両外縁間の距離に比して相対する外縁から１／３の距離付近に位置するように折り畳んで棒状の形態とし、次に棒状の形態となったものの端部どうしを連結することにより、環状の形態に折り畳まれている、請求項５に記載の折り畳みタオル。
【請求項８】
上記環状の形態に折り畳まれた上記タオル本体は、その形態と表面に表れる模様とでドーナツを模したものとしてあり、上記マイクロカプセルには、ドーナツと関連する香料が封入されている、請求項５ないし７のいずれかに記載の折り畳みタオル。
【発明の詳細な説明】
【技術分野】
【０００１】
本発明は、タオル本体が所定の形態に折畳まれた折畳みタオル、およびこの折畳みタオルを備えた折り畳みタオルセットに関する。
【背景技術】
【０００２】
従来、贈答品用のタオルは、購買意欲を高めるために折り畳み方などに工夫がなされていた。タオルの販売時の形態としては、所定の物品を模したものが知られている。例えば、下記特許文献１には、ケーキを模したケーキ型タオルを透明なフィルムで包装した態様が開示されている。
【０００３】
このような物品を模したタオルは、当該物品と同様の形態に折り畳まれていることにより、外観において見る者を楽しませてくれる。その一方、当該タオルを使用する場合、一旦包装を解いて使い始めると、当該タオルは通常のタオルと何ら変わらないものとなってしまい、使用者を楽しませるといったことを期待することはできない。
【０００４】
【特許文献１】特開２００６−１８７３３３号公報
【発明の開示】
【発明が解決しようとする課題】
【０００５】
本発明は、上記した事情のもとで考え出されたものであって、贈答品などに利用される所定の形態に折り畳まれた折り畳みタオルにおいて、使用の前後を通じて楽しみを与えることができる折り畳みタオルを提供することを課題としている。
【課題を解決するための手段】
【０００６】
上記課題を解決するため、本発明では、次の技術的手段を講じている。
【０００７】
本発明の第１の側面によると折り畳みタオルが提供される。この折り畳みタオルは、タオル本体が所定の形態に折り畳まれ、透明なフィルムで包まれてなる折り畳みタオルであって、上記タオル本体は、片面に模様が付されているとともに、当該模様と関連する香料を封入したマイクロカプセルが分散固着されており、かつ、上記タオル本体は、外面に上記模様が表れるようにして柱状の形態に折り畳まれているとともに、このように折り畳まれた状態において、その外面が透明なフィルムで筒状に包まれていることを特徴としている。
【０００８】
好ましい実施の形態においては、上記模様は、所定色を背景として、果物を表す絵柄を配置したものであり、上記マイクロカプセルには、上記果物と関連する香料が封入されている。
【０００９】
上記構成の折り畳みタオルにおいては、タオル本体が柱状の形態に折り畳まれた状態においてその外面に模様が表れており、当該外面が透明なフィルムで筒状に包まれている。これにより、筒状のフィルムに包まれたタオル本体は、所定の形態（柱状の形態）を保持することができるとともに、その外面に表れた模様がフィルムを介して視認することができるようになっている。ここで、当該模様について、例えば所定の背景色を有するとともに果物を表す絵柄を配置したものにすれば、折り畳みタオルはあたかも瑞々しいフルーツゼリーのような外観を呈することになり、見る者を楽しませてくれる。
【００１０】
加えて、上記タオル本体には、模様と関連する香料を封入したマイクロカプセルが分散固着されている。このため、タオル本体の使用に際しては、摩擦などによりマイクロカプセルが潰れ、タオル本体において上記模様と関連する匂いを発する。したがって、折り畳みタオルの使用開始後において、使用者は、タオル本体に付された模様に関して視覚および嗅覚の両面において刺激を受けることになり、新たな楽しみを体感することができる。上記模様について、例えば、上述のように所定の背景色を有するとともに果物を表す絵柄を配置したものにしつつ、マイクロカプセルに当該果物と関連する香料が封入されていれば、折り畳みタオルの使用開始後において、当該絵柄に対応する果物の香りを楽しむことができる。
【００１１】
以上のように、本発明の第１の側面に係る折り畳みタオルは、当該折り畳みタオルの使用者に対し、使用の前後を通じて楽しみを与えることができるのである。
【００１２】
本発明の第２の側面によると折り畳みタオルセットが提供される。この折り畳みタオルセットは、それぞれが異なる果物を表す絵柄をもつ模様を付した複数の上述した第１の側面に係る折り畳みタオルを包装箱に収容したことを特徴としている。
【００１３】
好ましい実施の形態においては、上記包装箱には、透明窓が設けられており、複数の上記折り畳みタオルの模様が視認できるように構成されている。上記透明窓は、例えば、包装箱の一部に形成された開口部、或いは、当該開口部およびこれを覆う透明なフィルムにより構成される。
【００１４】
このような構成の折り畳みタオルセットは、あたかも箱詰めのフルーツゼリーセットのような外観を呈しており、見る者をより一層楽しませてくれる。したがって、上記折り畳みタオルセットは、贈答品用としてより適するものである。また、折り畳みタオルセットを構成する複数の折り畳みタオルは、それぞれ異なる種類の果物を表す絵柄を有するとともに、当該果物と個々に関連する匂いを発するものとなっているので、上記複数の折り畳みタオルの使用に際しては、複数のバリエーションの香りを繰り返し楽しむことができる。
【００１５】
本発明の第３の側面によると折り畳みタオルが提供される。この折り畳みタオルは、タオル本体が所定の形態に折り畳まれ、透明なフィルムで包まれてなる折り畳みタオルであって、上記タオル本体は、片面に模様が付されているとともに、当該模様、もしくは上記形態と関連する香料を封入したマイクロカプセルが分散固着されており、かつ、上記タオル本体は、外面に上記模様が表われるようにして環状の形態に折り畳まれているとともに、このように折り畳まれた状態において、透明なフィルムで形成した包装袋に収容されていることを特徴としている。
【００１６】
本発明の第３の側面において、一つの実施形態によれば、上記タオル本体は、正方形をしており、２つの対角頂点をそれぞれ中心付近に合わせるように折り畳み、次に、こうして二重となった２つの部分の外縁を中心付近に合わせるようにしてそれぞれ折り畳み、次に、こうして四重となった部分を互いに重ねるようにして折り畳んで棒状の形態とし、次に棒状の形態となったものの端部どうしを、一方を他方に差し込んで連結することにより、環状の形態に折り畳まれている。
【００１７】
本発明の第３の側面において、他の実施形態によれば、上記タオル本体は、正方形をしており、２つの対角頂点がそれぞれ対角線上において両対角頂点間の距離に比して相対する対角頂点から１／３の距離付近に位置するように折り畳み、次に、こうして二重または三重となった部分の２つの外縁がそれぞれ両外縁間の距離に比して相対する外縁から１／３の距離付近に位置するように折り畳んで棒状の形態とし、次に棒状の形態となったものの端部どうしを、一方を他方に差し込んで連結することにより、環状の形態に折り畳まれている。
【００１８】
好ましい実施の形態においては、上記環状の形態に折り畳まれた上記タオル本体は、その形態と表面に表れる模様とでドーナツを模したものとしてあり、上記マイクロカプセルには、ドーナツと関連する香料が封入されている。
【００１９】
上記構成の折り畳みタオルにおいて、タオル本体は、これに付された模様が外面に表れるように環状の形態に折り畳まれているとともに、透明なフィルムで形成した包装袋に収容されている。より具体的には、タオル本体は、所定の折り畳み方により所定の形態を（環状の形態）を保持することができ、その外面に表れた模様が包装袋を介して視認することができるようになっている。ここで、環状の形態に折り畳まれたタオル本体について、例えば、その形態と外面に表れる模様とでドーナツを模したものとすれば、折り畳みタオルはあたかも包装されたドーナツのような外観を呈することになり、見る者を楽しませてくれる。
【００２０】
加えて、上記タオル本体には、上記模様もしくは上記所定の形態と関連する香料を封入したマイクロカプセルが分散固着されている。このため、タオル本体の使用に際しては、摩擦などによりマイクロカプセルが潰れ、タオル本体において上記模様もしくは上記所定の形態と関連する匂いを発する。したがって、当該折り畳みタオルの使用開始後において、使用者は、当該タオル本体について視覚および嗅覚の両面において刺激を受けることになり、新たな楽しみを体感することができる。例えば、上記したように、タオル本体が環状の形態とされた状態においてその形態と表面に表れる模様とでドーナツを模したものとしてある場合には、折り畳みタオルの使用開始後においてドーナツの香りを楽しむことができる。
【００２１】
以上のように、本発明の第３の側面に係る折り畳みタオルは、当該折り畳みタオルの使用者に対し、使用の前後を通じて楽しみを与えることができるのである。
【００２２】
本発明のその他の特徴および利点は、添付図面を参照して以下に行う詳細な説明によって、より明らかとなろう。
【発明を実施するための最良の形態】
【００２３】
以下、本発明の好ましい実施の形態について、図面を参照して具体的に説明する。
【００２４】
図１および図２は、本発明の第１の実施形態に係る折り畳みタオルＸ１を表す。図１は、折り畳みタオルＸ１の全体斜視図であり、図２は、図１の折り畳みタオルＸ１の分解斜視図である。
【００２５】
折り畳みタオルＸ１は、所定の柱状形態に折り畳まれたタオル本体１と、当該タオル本体１を包む包装フィルム２とを備える。
【００２６】
タオル本体１は、例えばタオルハンカチとして使用するのに適したサイズとされており、拡げた状態において略正方形をなしている。なお、タオル本体１のサイズや形状は、これに限定されるものでなく、適宜変更が可能である。タオル本体１を構成する生地としては、タオル生地が好適に用いられるが、これに限定されるものではなく、ガーゼ生地やレース生地などであってもよい。
【００２７】
タオル本体１の一方の面には、複数の色彩が混在して構成された模様１１が付されている。模様１１は、例えば捺染などの染色手法により形成されたものであり、所定色で一面に形成された背景１１１および適所に配置された絵柄１１２からなる。絵柄１１２は、所定の果物を模したものであり、当該果物が有する色合いを醸し出すように比較的に濃色とされている。絵柄１１２として表される果物は、特に限定されるものではなく、ブルーベリー、オレンジ、チェリーなどの果物のいずれであってもよい。背景１１１は、絵柄１１２として表された果物の色に対応する淡色とされている。例えば、絵柄１１２としてブルーベリーが表される場合には、絵柄１１２の色は主に濃紫色とされる一方、背景１１１の色は薄紫色とされる。また、絵柄１１２としてオレンジが表される場合には、絵柄１１２の色は主に橙色とされる一方、背景１１１の色は薄橙色とされる。図１および図２に示す本実施形態のタオル本体１においては、絵柄１１２としてオレンジが表された一例を示している。なお、模様１１の形成手法としては、上述した捺染に限定されるものではなく、他の染色手法や刺繍などを採用してもよい。
【００２８】
タオル本体１において、少なくとも模様１１が付された一方の面には、香料を封入したマイクロカプセル（図示せず）が分散固着されている。当該マイクロカプセル内の香料は、絵柄１１２として表された果物（本実施形態ではオレンジ）に関連する匂いを発するものであり、例えば合成香料や植物由来の天然香料を用いて構成されている。上記マイクロカプセルは、例えば、上記香料を内包しつつ天然または合成高分子からなる構成材料をマイクロカプセル化したものであり、その粒径が１０〜２００μｍ程度とされている。上記マイクロカプセルをタオル本体１に分散固着する手法としては、例えば、マイクロカプセルが分散混入させられた透明なインクを生地上に印刷する手法を採用することができる。
【００２９】
上記構成のタオル本体１は、外面に模様１１が表れるようにして柱状の形態に折り畳まれている。この柱状のタオル本体１の形成は、例えば、模様１１の付された面が外側となるように対辺どうしを重ね合わせて折り畳み、当該重ね合わされた対辺を巻き回すことにより行う。このとき、必要に応じて適宜図示しない台紙を使用し、台紙を包むようにしてタオル本体１を巻き回してもよい。台紙を使用すれば、柱状とされたタオル本体１の形成作業が容易化される。
【００３０】
包装フィルム２は、例えばポリプロピレンなどの樹脂製の透明フィルムからなる。包装フィルム２は、例えば、図２に表れているように、柱状に折り畳まれたタオル本体１の外面を矩形シート状のフィルム本体２１で包み込み、当該フィルム本体２１の端部どうしを重ね合わせつつ粘着テープ２２で連結することにより、筒状とされている。包装フィルム２の表面には、商品名などの表示（図示せず）が印刷により適宜施されている。なお、折り畳みタオルＸ１の上部は紙製の蓋３に覆われ、当該蓋３はゴム紐４により固定されている。
【００３１】
上記構成の折り畳みタオルＸ１においては、上述のようにタオル本体１が柱状の形態に折り畳まれた状態においてその外面に模様１１が表れており、当該外面が透明な包装フィルム２により筒状に包まれている。これにより、筒状の包装フィルム２に包まれたタオル本体１は、柱状の形態を保持することができるとともに、その外面に表れた模様１１が包装フィルム２を介して視認できるようになっている。また、模様１１は、所定色（本実施形態では薄橙色）の背景１１１を有するとともに果物（本実施形態ではオレンジ）を表す絵柄１１２を配置したものとされている。このため、折り畳みタオルＸ１は、あたかも瑞々しいフルーツゼリーのような外観を呈することになり、見る者を楽しませてくれる。
【００３２】
加えて、タオル本体１には、絵柄１１２として表された果物（本実施形態ではオレンジ）と関連する香料を封入したマイクロカプセルが分散固着されている。このため、タオル本体１の使用に際しては、摩擦などにより上記マイクロカプセルが潰れ、タオル本体１において、絵柄１１２として表されたオレンジに関連する匂いを発する。したがって、折り畳みタオルＸ１の使用開始後において、使用者は、タオル本体１に付された模様１１ないし絵柄１１２について視覚および嗅覚の両面において関連する刺激を受けることになり、新たな楽しみを体感することができる。
【００３３】
以上のように、本実施形態に係る折り畳みタオルＸ１は、使用者に対し、使用の前後を通じて異なった楽しみを与えることができるものである。
【００３４】
図３は、本発明の第２の実施形態に係る折り畳みタオルセットＳを表す。折り畳みタオルセットＳは、本発明の第１の実施形態に係る複数（本実施形態では３個）の折り畳みタオルＸ１と、これら折り畳みタオルＸ１を収容する包装箱５とを備える。
【００３５】
複数の折り畳みタオルＸ１は、それぞれが第１の実施形態における折り畳みタオルＸ１と同様の構成を有する一方、タオル本体１に付された模様１１を構成する絵柄１１２については、それぞれ異なる種類の果物が表されている。例えば、図３においては、折り畳みタオルＸ１に絵柄１１２として表される果物は、図中左側から順にオレンジ、ブルーベリー、チェリーとされている。
【００３６】
包装箱５は、厚紙製の板片を折り曲げて箱状に組み付けた箱本体５１と、当該箱本体５１の底部に配置されたタオル装着体５２とを備える。タオル装着体５２は、厚紙製の板片を折り曲げて形成されたものであり、起立板５２１と上板５２２とを備える。上板５２２の所定箇所には、折り畳みタオルＸ１を挿入するための複数の孔５２２ａが形成されている。当該孔５２２ａに折り畳みタオルＸ１が挿入されると、当該折り畳みタオルＸ１は、起立姿勢を安定して維持することができる。箱本体５１については、正面板５１１において複数の透明窓５１１ａが設けられている。透明窓５１１ａは、タオル装着体５２における複数の孔５２２ａにそれぞれ対応した位置に形成された開口により構成されている。これにより、透明窓５１１ａを介して上記複数の折り畳みタオルＸ１の模様１１が視認できるようになっている。
【００３７】
このような構成の折り畳みタオルセットＳは、あたかも箱入りのフルーツゼリーセットのような外観を呈しており、見る者をより一層楽しませてくれる。したがって、折り畳みタオルセットＳは、贈答品用としてより適するものである。また、折り畳みタオルセットＳを構成する複数の折り畳みタオルＸ１は、それぞれ異なる種類の果物を表す絵柄１１２を有するとともに、当該絵柄１１２として表された果物と個々に関連する匂いを発するものとなっている。このため、上記複数の折り畳みタオルＸ１の使用に際しては、複数のバリエーションの香りを繰り返し楽しむことができる。
【００３８】
図４は、本発明の第３の実施形態に係る折り畳みタオルＸ２を表す全体斜視図である。図５は、図４に示す折り畳みタオルＸ２を構成するタオル本体を拡げた状態を示す平面図である。
【００３９】
折り畳みタオルＸ２は、所定の環状形態に折り畳まれたタオル本体１’と、当該タオル本体１’を収容する包装袋２’とを備える。
【００４０】
タオル本体１’は、例えばタオルハンカチとして使用するのに適したサイズとされており、図５に示すように、拡げた状態において略正方形をなしている。タオル本体１’を構成する生地は、第１の実施形態においてタオル本体１に関して上述したのと同様である。
【００４１】
タオル本体１’は、図４に示す環状の形態に折り畳まれた状態において、ドーナツを模したものとされている。本実施形態のタオル本体１’は、ドーナツ本体の一部がチョコレートでコーティングされたチョコドーナツを模したものである。なお、模られるドーナツとしては、チョコドーナツに限定されるものではなく、他の種類のドーナツであってもよい。
【００４２】
タオル本体１’の一方の面には、複数の色彩が混在して構成された模様１１’が付されている。模様１１’の形成手法は、第１の実施形態において模様１１に関して上述したのと同様である。模様１１’は、タオル本体１’が折り畳まれた状態において、ドーナツ本体を表す絵柄１１３およびチョココーティングを表す絵柄１１４からなる。なお、模様１１’を構成する絵柄は、この構成に限定されるものではなく、模られるドーナツの種類に応じて適宜変更することが可能である。
【００４３】
タオル本体１’において、少なくとも模様１１’が付された一方の面には、香料を封入したマイクロカプセル（図示せず）が分散固着されている。当該マイクロカプセル内の香料は、模様１１’として表されたドーナツ本体やチョココーティングに関連する匂いを発するものであり、例えば合成香料や植物由来の天然香料を用いて構成されている。上記マイクロカプセルの構成や上記マイクロカプセルをタオル本体１’に分散固着する手法は、第１の実施形態において上述したのと同様である。
【００４４】
上記構成のタオル本体１’は、外面に模様１１’が表れるようにして環状の形態に折り畳まれている。環状のタオル本体１’の形成は、例えば、図６を参照して説明する以下の手順により行う。まず、タオル本体１’の模様１１’が付された面を裏向けて拡げた状態から、絵柄１１３および絵柄１１４を各々に含む２つの対角頂点を、それぞれタオル本体１’の中心Ｃ付近に合わせるように折り畳む（図６（ａ）参照）。次に、二重となった２つの部分の外縁１１５，１１６を中心Ｃ付近に合わせるようにしてそれぞれ折り畳む（図６（ｂ）参照）。次に、こうして四重となった部分を互いに重ねるようにして折り畳んで棒状の形態とする（図６（ｃ）参照）。そして最後に、棒状の形態となったものの端部１１７どうしを、一方を他方に差し込んで連結することにより、環状の形態に折り畳まれたタオル本体１’となる。ここで、連結された端部１１７どうしを、例えば図示しないタグピンで留めておいてもよい。この場合、端部１１７どうしの連結状態が適切に維持される。なお、タグピンを用いる場合、端部１１７どうしを差し込んで連結するのに代えて、端部１１７どうしを重ね合わせてタグピンで留めることにより連結してもよい。
【００４５】
環状のタオル本体１'の他の形成手順について、図７を参照して説明する。まず、タオル本体１’の模様１１’が付された面を裏向けて拡げた状態から、絵柄１１３および絵柄１１４を各々含む２つの対角頂点が、それぞれ、当該２つの対角頂点が結ぶ対角線上において両対角頂点間の距離に比して相対する対角頂点から１／３の距離付近に位置するように折り畳む（図７（ａ）参照）。次に、二重または三重となった部分の２つの外縁１１８，１１９が、それぞれ、両外縁１１８，１１９間の距離に比して相対する外縁１１９，１１８から１／３の距離付近に位置するように折り畳んで棒状の形態とする（図７（ｂ）参照）。そして最後に、棒状の形態となったものの端部どうしを、一方を他方に差し込んで連結することにより、環状の形態に折り畳まれたタオル本体１’とすることができる。ここで、連結された上記端部どうしを、例えば図示しないタグピンで留めておいてもよい。この場合、上記端部どうしの連結状態が適切に維持される。なお、タグピンを用いる場合、上記端部どうしを差し込んで連結するのに代えて、上記端部どうしを重ね合わせてタグピンで留めることにより連結してもよい。
【００４６】
包装袋２’は、例えばポリプロピレンなどの樹脂製の透明フィルムからなる。包装フィルム２’は、一端縁に開口を有する袋状とされるとともに、その内部にタオル本体１’を収容可能なサイズとされている。
【００４７】
上記構成の折り畳みタオルＸ２において、タオル本体１’は、環状の形態に折り畳まれているとともに、透明なフィルムで形成された包装袋２’に収容されている。より具体的には、タオル本体１’は、図６および図７を参照して上述した所定の折り畳み方によって環状の形態とすることにより、当該環状の形態を保持することができ、その外面に表れた模様１１’が包装２’を介して視認することができるようになっている。また、折り畳まれたタオル本体１’については、その環状の形態と外面に表れる模様１１’とでドーナツを模している。このため、折り畳みタオルＸ２は、あたかも包装されたドーナツのような外観を呈することになり、見る者を楽しませてくれる。
【００４８】
加えて、タオル本体１’には、ドーナツと関連する香料を封入したマイクロカプセルが分散固着されている。このため、タオル本体１’の使用に際しては、摩擦などにより上記マイクロカプセルが潰れ、タオル本体１’においてドーナツに関連する匂いを発する。したがって、折り畳みタオルＸ２の使用開始後において、使用者は、タオル本体１’について視覚および嗅覚の両面において関連する刺激を受けることになり、新たな楽しみを体感することができる。
【００４９】
以上のように、本実施形態に係る折り畳みタオルＸ２は、使用者に対し、使用の前後を通じて異なった楽しみを与えることができるものである。
【００５０】
以上、本発明の具体的な実施形態を説明したが、本発明はこれに限定されるものではなく、発明の思想から逸脱しない範囲内で種々な変更が可能である。
【図面の簡単な説明】
【００５１】
【図１】本発明の第１の実施形態に係る折り畳みタオルの全体斜視図である。
【図２】図１に示す折り畳みタオルの分解斜視図である。
【図３】本発明の第２の実施形態に折り畳みタオルセットの一部を切欠いて表した正面図である。
【図４】本発明の第３の実施形態に係る折り畳みタオルの全体斜視図である。
【図５】図４に示す折り畳みタオルを構成するタオル本体の拡げた状態の平面図である。
【図６】図４に示す折り畳みタオルを構成するタオル本体の折り畳み方の一例を説明する図である。
【図７】図４に示す折り畳みタオルを構成するタオル本体の折り畳み方の他の例を説明する図である。
【符号の説明】
【００５２】
Ｘ１，Ｘ２    折り畳みタオル
Ｓ      折り畳みタオルセット
１，１’    タオル本体
２      包装フィルム
２’    包装袋
５      包装箱
１１，１１’    模様
１１１    背景
１１２    絵柄
５１１ａ    透明窓
【図１】
2008093109.tif 000003
【図２】
2008093109.tif 000004
【図３】
2008093109.tif 000005
【図４】
2008093109.tif 000006
【図５】
2008093109.tif 000007
【図６】
2008093109.tif 000008
【図７】
2008093109.tif 000009